(57)【要約】【課題】外部装置から制御を行うことなく、投写する画像の調整をできるようにする。【解決手段】映像処理装置３００は、動画像の各フレームの画像データと、各フレームの画像サイズを示す制御情報を含む動画像ファイルをメモリーカード４００に書き込む。プロジェクター１００は、メモリーカード４００に書き込まれている動画像ファイルを再生する。プロジェクター１００は、動画像ファイルから制御情報を抽出し、動画像ファイルに含まれている各フレームの画像データの画像を投写する際、投写する画像のサイズを抽出した制御情報に応じて変更する。【選択図】図１
2016139954.tif 000002
【特許請求の範囲】
【請求項１】
動画像の画像データと、当該動画像の時間軸上の時刻に対応付けられ、投写する画像を調整するための制御情報とを含むファイルから、前記画像データと前記制御情報とを抽出する抽出部と、
前記抽出部が抽出した画像データが示す動画像を投写する投写部と、
前記抽出部が抽出した制御情報に基づいて前記投写部を制御し、前記投写部が投写する動画像を当該制御情報に対応した前記時間軸上の時刻において調整する情報処理部と、
を有するプロジェクター。
【請求項２】
設置位置に取り付けるための取付部と、前記取付部に連結され、前記投写部を備える本体部とを有する請求項１に記載のプロジェクター。
【請求項３】
前記情報処理部は、前記制御情報に基づいた調整が当該制御情報に対応した前記時間軸上の時刻において行われるように、当該調整を当該時刻より早い時刻に開始する
請求項１又は請求項２に記載のプロジェクター。
【請求項４】
前記投写部は、レンズを備え、前記画像データに応じて変調されて前記動画像を示す光を投写する投写光学系を有し、
前記情報処理部は、前記制御情報に基づいて前記レンズの位置を制御し、投写される動画像を調整する
請求項１から請求項３のいずれか一項に記載のプロジェクター。
【請求項５】
前記ファイルにおいては、前記動画像の各フレームのデータのそれぞれに前記制御情報が対応付けられている
請求項１から請求項４のいずれか一項に記載のプロジェクター。
【請求項６】
前記制御情報は、照明となる照明用画像の投写を指示する指示情報を含み、
前記抽出部が、当該指示情報を含む制御情報を抽出した場合、前記投写部は、当該制御情報に対応した前記時間軸上の時刻において、前記照明用画像を投写する
請求項１から請求項５のいずれか一項に記載のプロジェクター。
【請求項７】
動画像の画像データと、当該動画像の時間軸上の時刻に対応付けられ、投写する画像を調整するための制御情報とを含むファイルから、前記画像データと前記制御情報とを抽出する抽出ステップと、
前記抽出ステップで抽出された画像データが示す動画像を投写する投写ステップと、
前記抽出ステップで抽出された制御情報に基づいて、前記動画像を投写する投写部を制御し、前記投写部が投写する動画像を当該制御情報に対応した前記時間軸上の時刻において調整する情報処理ステップと、
を有する投写方法。
【発明の詳細な説明】
【技術分野】
【０００１】
本発明は、プロジェクター及び投写方法に関する。
【背景技術】
【０００２】
画像を投写しつつ、投写位置の制御を行う発明として、例えば特許文献１に開示されたシステムがある。このシステムにおいては、操作卓を操作すると、プロジェクターに対し、画像信号とは別系統でＤＭＸ信号を供給する。プロジェクターは、供給されたＤＭＸ信号に応じて画像のパンやチルトなどを行い、画像の投写位置を変更する。
【先行技術文献】
【特許文献】
【０００３】
【特許文献１】特開平１０−３０１２０２号公報
【発明の概要】
【発明が解決しようとする課題】
【０００４】
特許文献１の発明においては、映像とは別系統でＤＭＸ信号を送るため、配線が煩雑となる。また、画像のパンやチルトを行う場合には、画像に合わせて操作卓を操作する必要がある。画像に合わせて頻繁にパンやチルトを行う際には、頻繁に操作卓を操作する必要があり、難しい操作を要求されることとなる。
【０００５】
本発明は、外部装置から制御を行うことなく、投写する画像の調整をできるようにすることを目的とする。
【課題を解決するための手段】
【０００６】
本発明は、動画像の画像データと、当該動画像の時間軸上の時刻に対応付けられ、投写する画像を調整するための制御情報とを含むファイルから、前記画像データと前記制御情報とを抽出する抽出部と、前記抽出部が抽出した画像データが示す動画像を投写する投写部と、前記抽出部が抽出した制御情報に基づいて前記投写部を制御し、前記投写部が投写する動画像を当該制御情報に対応した前記時間軸上の時刻において調整する情報処理部と、を有するプロジェクターを提供する。
このプロジェクターによれば、プロジェクターに対して外部装置から制御を行うことなく、投写する画像の調整を行うことができる。
【０００７】
本発明においては、設置位置に取り付けるための取付部と、前記取付部に連結され、前記投写部を備える本体部とを有する構成としてもよい。
この構成によれば、部屋の壁面や天井にプロジェクターを取り付け、外部装置から制御を行うことなく、投写する画像の調整を行うことができる。
【０００８】
また、本発明においては、前記情報処理部は、前記制御情報に基づいた調整が当該制御情報に対応した前記時間軸上の時刻において行われるように、当該調整を当該時刻より早い時刻に開始する構成としてもよい。
この構成によれば、投写される画像について制御情報に基づいた調整を、当該制御情報に対応した時刻に行うことができる。
【０００９】
また、本発明においては、前記投写部は、レンズを備え、前記画像データに応じて変調されて前記動画像を示す光を投写する投写光学系を有し、前記情報処理部は、前記制御情報に基づいて前記レンズの位置を制御し、投写される動画像を調整する構成としてもよい。
この構成によれば、投写する画像のサイズや位置などを調整することができる。
【００１０】
また、本発明においては、前記ファイルにおいては、前記動画像の各フレームのデータのそれぞれに前記制御情報が対応付けられている構成としてもよい。
この構成によれば、画像の調整をフレーム単位で行うことができる。
【００１１】
また、本発明においては、前記制御情報は、照明となる照明用画像の投写を指示する指示情報を含み、前記抽出部が、当該指示情報を含む制御情報を抽出した場合、前記投写部は、当該制御情報に対応した前記時間軸上の時刻において、前記照明用画像を投写する構成としてもよい。
この構成によれば、プロジェクターを照明として機能させることができる。
【００１２】
また、本発明は、動画像の画像データと、当該動画像の時間軸上の時刻に対応付けられ、投写する画像を調整するための制御情報とを含むファイルから、前記画像データと前記制御情報とを抽出する抽出ステップと、前記抽出ステップで抽出された画像データが示す動画像を投写する投写ステップと、前記抽出ステップで抽出された制御情報に基づいて、前記動画像を投写する投写部を制御し、前記投写部が投写する動画像を当該制御情報に対応した前記時間軸上の時刻において調整する情報処理ステップと、を有する投写方法。
この投写方法によれば、外部装置から制御を行うことなく、投写する画像の調整を行うことができる。
【図面の簡単な説明】
【００１３】
【図１】本発明に係る装置を示した図。
【図２】映像処理装置３００において実現する機能の構成を示した機能ブロック図。
【図３】映像処理装置３００が表示するＧＵＩの一例を示した図。
【図４】動画像ファイルのフォーマットの一例を示した図。
【図５】本発明に係るプロジェクター１００の斜視図。
【図６】プロジェクター１００の正面図及び側面図。
【図７】プロジェクター１００のハードウェア構成を示した図。
【図８】プロジェクター１００において実現する機能の構成を示した機能ブロック図。
【図９】制御部１１が行う処理の流れを示したフローチャート。
【図１０】制御情報に応じた画像のサイズの変化を示した図。
【図１１】変形例の動作を説明するための図。
【発明を実施するための形態】
【００１４】
［実施形態］
（全体構成）
図１は、本発明に係る装置を示した図である。メモリーカード４００は、動画像や静止画像のファイルを記録する記録媒体である。映像処理装置３００は、所謂パーソナルコンピューターである。映像処理装置３００は、ＣＰＵ（Central Processing Unit）、ブートローダやＢＩＯＳ（Basic Input Output System）などを記憶したＲＯＭ（Read Only Memory）、ＲＡＭ（Random Access Memory）、マウスやキーボードなどの入力装置、画像を表示するディスプレイ装置、オペレーティングシステムやアプリケーションプログラムを記憶するハードディスク装置などを備える。さらに映像処理装置３００は、メモリーカード４００が挿入されるスロットを備えている。映像処理装置３００は、スロットに挿入されたメモリーカード４００へアクセスし、ファイルの書込みや消去、ファイルの読み出しなどを行う。また、映像処理装置３００は、動画像の編集を行うための編集プログラムを記憶している。映像処理装置３００において、この編集プログラムが実行されると、プロジェクター１００が投写する画像のサイズを制御するため情報を、制御情報として動画像ファイルに付加する機能が実現する。
【００１５】
プロジェクター１００は、スクリーンや壁面などに画像を投写する装置である。プロジェクター１００は、メモリーカード４００が挿入されるスロットを備えている。プロジェクター１００は、スロットに挿入されたメモリーカード４００からファイルを読み出し、ファイルが示す画像を投写する。また、プロジェクター１００は、制御情報が付加された動画像ファイルを再生する機能を備えている。プロジェクター１００は、制御情報が付加された動画像ファイルを再生する場合、投写する画像のサイズを付加されている制御情報に応じて変更する。
【００１６】
（映像処理装置３００の構成）
図２は、映像処理装置３００において、ＣＰＵが編集プログラムを実行することにより実現する機能を示した機能ブロック図である。読み出し部３１１は、メモリーカード４００又は映像処理装置３００が備えるハードディスク装置（図示略）に記憶された動画像ファイルを読み出す。
【００１７】
設定部３１４は、読み出した動画像ファイルが示す動画像において、画像のサイズを変更するタイミングを設定する。例えば、設定部３１４は、図３に例示したＧＵＩ（Graphical User Interface）を映像処理装置３００のディスプレイ装置に表示する。図３において、画像表示領域Ａ１は、読み出した動画像ファイルの画像が表示される領域である。シークバーＣ１は、読み出した動画像ファイルの再生位置を変更するためのＧＵＩである。読み出した動画像ファイルが再生されると、再生が進むにつれてシークバーＣ１のスライダーＳが左から右へ移動し、シークバーＣ１の横に表示された再生時刻が更新される。設定部３１４は、スライダーＳをドラッグする操作が行われると、ドラッグされたスライダーＳの移動方向及び移動量に応じて動画像の早戻し又は早送りを行う。
【００１８】
図３において、ボタンＢ１〜Ｂ５は、読み出した動画像ファイルの再生、早送り、頭出しなどを行うためのボタンである。ボタンＢ１とボタンＢ５は、読み出した動画像ファイルの頭出しを行うためのボタンである。設定部３１４は、ボタンＢ１をクリックする操作が行われると、読み出した動画像ファイルの先頭の画像を表示し、ボタンＢ５をクリックする操作が行われると、動画像ファイルの後尾の画像を表示する。また、設定部３１４は、ボタンＢ１又はボタンＢ５をクリックする操作が行われると、シーク―バーＣ１のスライダーの位置を変更し、表示している動画像の再生時刻を表示する。
【００１９】
ボタンＢ２は、読み出した動画像ファイルの早戻しを行うためのボタンである。設定部３１４は、ボタンＢ２をクリックする操作が行われると、動画像ファイルの早戻しを行う。また、設定部３１４は、ボタンＢ２をクリックする操作が行われると、シーク―バーＣ１のスライダーの位置を変更し、表示している動画像の再生時刻を表示する。ボタンＢ４は、動画像ファイルの早送りを行うためのボタンである。設定部３１４は、ボタンＢ４をクリックする操作が行われると、動画像ファイルの早送りを行う。また、設定部３１４は、ボタンＢ４をクリックする操作が行われると、シーク―バーＣ１のスライダーの位置を変更し、表示している画像の再生時刻を表示する。
【００２０】
ボタンＢ３は、読み出した動画像ファイルの再生と一時停止を行うためのボタンである。設定部３１４は、動画像ファイルの再生を停止している状態においてボタンＢ３をクリックする操作が行われると、動画像ファイルの再生を行う。また、設定部３１４は、動画像ファイルの再生中においては、シーク―バーＣ１のスライダーの位置を変更し、表示している画像の再生時刻を表示する。また、設定部３１４は、動画像ファイルを再生している状態においてボタンＢ３をクリックする操作が行われると、動画像ファイルの再生を停止する。
【００２１】
テキストボックスＢＸ１は、プロジェクター１００が投写する画像のサイズが入力されるＧＵＩである。設定部３１４は、テキストボックスＢＸ１に入力された数値に応じて、画像表示領域Ａ１に表示される動画像Ｖのサイズを変更する。なお、本実施形態においては、テキストボックスＢＸ１に入力可能な数値の範囲は、０から２５５の範囲であり、０は、プロジェクター１００が投写可能な最大のサイズを示し、２５５は、プロジェクター１００が投写可能な最少のサイズを示す。
【００２２】
テキストボックスＢＸ２とテキストボックスＢＸ３は、動画像を入力された画像サイズとする期間を設定するためのＧＵＩである。テキストボックスＢＸ２には、入力された画像サイズにされる再生期間の先頭の再生時刻が入力され、テキストボックスＢＸ３には、入力された画像サイズにされる再生期間の後尾の再生時刻が入力される。
【００２３】
ボタンＢ７は、テキストボックスＢＸ１に入力された数値と、動画像ファイルの再生時刻とを対応付けるためのボタンである。設定部３１４は、ボタンＢ７をクリックする操作が行われると、テキストボックスＢＸ１に入力された数値を、テキストボックスＢＸ２に入力された時刻からテキストボックスＢＸ３に入力された時刻までの期間に対応付けて記憶する。
【００２４】
ボタンＢ６は、動画像の各フレームのデータと制御情報とを含む動画像ファイルを生成するためのボタンである。生成部３１３は、ボタンＢ６をクリックする操作が行われると、ボタンＢ７の操作により記憶した期間とサイズとの対応を基にして、動画像の各フレームのデータと制御情報とを含む動画像ファイルを生成する。
【００２５】
図４は、生成部３１３が生成する動画像ファイルのフォーマットの一例を示す図である。生成部３１３が生成する動画像ファイルは、大別すると、ファイルヘッダ部Ｆ１とデータ部Ｆ２で構成される。ファイルヘッダ部Ｆ１は、メタデータを含むブロックである。ファイルヘッダ部Ｆ１は、例えば、動画像ファイルのファイル名、データ形式、動画像の長さ（時間）などの各種情報を含む。
【００２６】
データ部Ｆ２は、制御情報や動画像の各フレームのデータなどを含む。具体的には、データ部Ｆ２は、ヘッダ部Ｆ２１とフレームデータ部Ｆ２２の組を複数含む。ヘッダ部Ｆ２１とフレームデータ部Ｆ２２の組は、動画像のフレーム毎に設けられる。フレームデータ部Ｆ２２は、動画像の一のフレームの画像データを含む。ヘッダ部Ｆ２１は、組となるフレームデータ部Ｆ２２に関係する情報を含み、基本情報部Ｆ２１１と制御情報部Ｆ２１２とを含む。
【００２７】
生成部３１３は、ボタンＢ６をクリックする操作が行われると、動画像の先頭から後尾までの各フレームの画像データに連続した番号を付与する。生成部３１３は、動画像のフレーム毎にヘッダ部Ｆ２１とフレームデータ部Ｆ２２の組を生成し、各フレームデータ部Ｆ２２に一のフレームの画像データを格納する。また、生成部３１３は、それぞれのヘッダ部Ｆ２１の基本情報部Ｆ２１１において、組となるフレームデータ部Ｆ２２に格納された画像データに付与されている番号を含める。また、生成部３１３は、それぞれのヘッダ部Ｆ２１において、組となるフレームデータ部Ｆ２２の画像データの再生時刻を基本情報部Ｆ２１１に含める。
また、生成部３１３は、制御情報部Ｆ２１２に画像のサイズを示す数値を含める。具体的には、生成部３１３は、ボタンＢ７の操作により記憶した期間とサイズとの対応を基にして、投写する画像のサイズを示す情報を、制御情報部Ｆ２１２に含める。例えば、映像処理装置３００の操作者により、「０：００」の再生時刻から「１：３０」の再生時刻までの期間に対して、「２５５」とのサイズが対応付けられた場合、この期間内の再生時刻を含む基本情報部Ｆ２１１と組の制御情報部Ｆ２１２に、２５５という数値を制御情報として含める。
書込み部３１２は、生成部３１３が生成した動画像ファイルをメモリーカード４００に書き込む。
【００２８】
（プロジェクター１００の構成）
図５は、本発明に係るプロジェクター１００の斜視図、図６（ａ）は、プロジェクター１００の正面図、図６（ｂ）は、プロジェクター１００の側面図である。なお、図５及び図６においては、プロジェクター１００が取り付けられるダクトレール２００も図示している。
【００２９】
ダクトレール２００は、プロジェクター１００へ電力を供給するレールであり、例えば、ＪＩＳ  Ｃ８３６６規格のライティングダクトに相当する。ダクトレール２００は、天井面、壁面又は床面に設置される。図５には理解の便宜のため、ダクトレール２００の断面を図示しているが、ダクトレール２００は末端が開口していなくてもよい。ダクトレール２００には、プロジェクター１００や照明器具が取り付けられる。ダクトレール２００は、商用電源に接続され、取り付けられた照明器具やプロジェクター１００に電力を供給する。
【００３０】
中空のダクトレール２００は、長手方向に沿って延びる開口２０１を有し、この開口２０１から差し込まれるコネクター等を支持する。ダクトレール２００が天井面に固定された場合、開口２０１は下向きとなり、下方からプロジェクター１００や照明器具等を取り付けて吊り下げることができる。ダクトレール２００は壁面に固定してもよく、この場合、開口２０１の向きは水平方向となり、横からプロジェクター１００や照明器具等を取り付けて固定できる。
【００３１】
ダクトレール２００は、ダクトレール２００の本体の長手方向に沿った一対の導体２０５Ａ、２０５Ｂを内部に有する。導体２０５Ａ、２０５Ｂは棒状又は帯状に成形された導電性を有する金属からなり、一方が商用電源の接地側に接続され、他方が商用電源の非接地側に接続される。また、ダクトレール２００は、開口２０１より幅の広い部材が嵌められる溝２０６Ａ、２０６Ｂを有する。溝２０６Ａ、２０６Ｂは、ダクトレール２００の内部において、開口２０１の両側にあり、この溝２０６Ａ、２０６Ｂに嵌められた物がダクトレール２００によって支持される。
【００３２】
プロジェクター１００は、光源を有し、光源が発した光を変調して画像を投写する装置である。プロジェクター１００は、電源収容部１１０と、本体部１２０と、電源収容部１１０と本体部１２０とを連結するための支持部材１３０とを備える。電源収容部１１０は、細長い略箱形の筐体を有し、この筐体内に電源回路を収容する。電源収容部１１０は、プロジェクター１００をダクトレール２００に取り付けるための取付部の一例である。本体部１２０は、略箱形の筐体を有し、この筐体内に、画像を投写するための各種回路や投写光学系を収容する。なお、本体部１２０の筐体の形状は、箱形に限定されるものではなく、例えば、円筒形状や多角柱の形状など、他の形状であってもよい。
【００３３】
支持部材１３０の上端は、電源収容部１１０の底面に連結されている。支持部材１３０は、中心軸周りで矢印Ａ方向と矢印Ｂ方向へ回転する。支持部材１３０の下端には、支持部材１３０と本体部１２０とを連結する連結部１３１が取り付けられている。連結部１３１は、支柱１３１Ａ、ボール１３１Ｂ及びフランジ１３１Ｃで構成されている。連結部１３１においては、支柱１３１Ａの一端に球状のボール１３１Ｂが取り付けられ、他端にフランジ１３１Ｃが取り付けられている。つまり、連結部１３１は、自由雲台と同じ構成を有している。ボール１３１Ｂは、支持部材１３０の内部に挿入されており、フランジ１３１Ｃは、本体部１２０の上面に取り付けられる。支持部材１３０内にて支持されているボール１３１Ｂは、支持部材１３０内部にて自在に回転する構成となっているため、フランジ１３１Ｃに取り付けられる本体部１２０の鉛直方向の向きや本体部１２０の水平方向に対する傾きを変えて固定することができる。支持部材１３０及び連結部１３１は、本体部１２０を支持する支持部を構成する。
【００３４】
電源収容部１１０は、ダクトレール２００に連結されるコネクター１１５を筐体の上面側に有しており、本体部１２０へ接続され、本体部１２０へ電力を供給するケーブル１０５を筐体の下面側に有している。電源収容部１１０においては、筐体の下面に支持部材１３０が配置されており、支持部材１３０の中心軸と、コネクター１１５の中心軸が一致している。コネクター１１５は、角柱の形状で電源収容部１１０の上面から上向きに突出している。コネクター１１５の側面には、一対の板状部１１６Ａ、１１６Ｂ及び一対の導体１１７Ａ、１１７Ｂが、水平方向に沿って設けられている。
【００３５】
板状部１１６Ａ、１１６Ｂは平板状に成形され、導体１１７Ａ、１１７Ｂは、導電性を有する金属を平板状に成形して構成されている。図６（ａ）及び図６（ｂ）に示すように、板状部１１６Ａ、１１６Ｂは、コネクター１１５から互いに反対方向に突出し、導体１１７Ａ、１１７Ｂは、コネクター１１５から互いに反対方向に突出している。すなわち、板状部１１６Ａ、１１６Ｂ及び導体１１７Ａ、１１７Ｂは、電源収容部１１０の前後方向（短手方向）に突出していて、電源収容部１１０の筐体の左右方向（長手方向）に対し直交している。
【００３６】
プロジェクター１００をダクトレール２００に取り付ける場合、コネクター１１５が開口２０１に差し込まれる。コネクター１１５を開口２０１に差し込むとき、コネクター１１５は、板状部１１６Ａ、１１６Ｂ及び導体１１７Ａ、１１７Ｂがダクトレール２００の長手方向に沿った向きで、開口２０１に差し入れられる。板状部１１６Ａ、１１６Ｂ及び導体１１７Ａ、１１７Ｂがダクトレール２００の内部に入ってから、電源収容部１１０を、コネクター１１５の中心軸を中心にして９０度回転させると、コネクター１１５がダクトレール２００に接続される。
【００３７】
電源収容部１１０を回転させることにより、導体１１７Ａ、１１７Ｂがダクトレール２００の導体２０５Ａ、２０５Ｂに接触する。導体１１７Ａ、１１７Ｂは、コネクター１１５の内部に埋設された導体（図示略）を介して、電源収容部１１０に収容された電源回路に接続されている。このため、コネクター１１５がダクトレール２００に接続されると、導体２０５Ａ、２０５Ｂから導体１１７Ａ、１１７Ｂを介して電源収容部１１０に電力が供給され、プロジェクター１００が動作可能となる。
【００３８】
また、電源収容部１１０を回転させることにより、板状部１１６Ａ、１１６Ｂが溝２０６Ａ、２０６Ｂに填まり込み、板状部１１６Ａ、１１６Ｂを介してコネクター１１５がダクトレール２００に固定される。プロジェクター１００を天井に設けられたダクトレール２００に取り付けた状態では、プロジェクター１００の全体がコネクター１１５を介してダクトレール２００により支持される。
【００３９】
このように、コネクター１１５を設けたことで、電源収容部１１０を容易にダクトレール２００に取り付けることができる。電源収容部１１０をダクトレール２００に取り付けた状態では、電源収容部１１０の筐体の長手方向と、ダクトレール２００の長手方向とが一致して平行になる。このため、電源収容部１１０がダクトレール２００と一体に見え、目立たないという利点がある。
【００４０】
本体部１２０の正面には、投写口１２８が設けられている。投写口１２８は、画像を投写するための変調された光が通過する開口であり、レンズ等が取り付けられている。プロジェクター１００を、天井面に取り付けられたダクトレール２００に固定すると、支持部材１３０を回転させることで、投写口１２８が向いている方向、即ち、画像の投写方向を水平方向で変更できる。また、連結部１３１で本体部１２０の鉛直方向の向きを変えることにより、画像の投写方向を鉛直方向で変更でき、連結部１３１で本体部１２０の水平方向に対する傾きを変えることにより、画像の傾きを変更できる。
【００４１】
次に、本体部１２０の構成について、図７を用いて説明する。図７は、プロジェクター１００のハードウェア構成を示したブロック図である。電源収容部１１０は、電源回路２１を備えている。電源回路２１は、コネクター１１５に設けられた導体１１７Ａ、１１７Ｂから、電力の供給を受ける。電源回路２１は、電力を供給するため、交流−直流変換回路やトランス、スイッチング回路などを備えている。電源回路２１は、プロジェクター１００の各部へケーブル１０５を介して電力を供給する。
【００４２】
本体部１２０は、制御部１１、記憶部１２、操作部１３、投写部１４を備える。また、本体部１２０は、画像処理部１５、インターフェース部１６及び通信部１８を備える。制御部１１は、ＣＰＵ（Central Processing Unit）、ＲＯＭ（Read Only Memory）及びＲＡＭ（Random Access Memory）を備えたマイクロコンピューターである。ＲＯＭに記憶されているプログラムをＣＰＵが実行すると、制御部１１が各部を制御し、画像を投写する機能や、動画像ファイルに含まれている制御情報に応じて投写する画像のサイズを変更する機能などの各種機能が実現する。記憶部１２は、不揮発性メモリを備えており、投写する画像のファイルや、投写する画像の画質に係る設定値、各種機能の設定に係る情報などを記憶する。
【００４３】
通信部１８は、無線通信のインターフェースを有する。通信部１８は、外部装置と無線通信を行い、投写する画像のファイルを取得する。通信部１８が取得したファイルは、記憶部１２に記憶される。操作部１３は、プロジェクター１００を操作するための複数のボタンを備えている。操作されたボタンに応じて制御部１１が各部を制御することにより、投写する画像の調整や、動画像ファイルの再生などが行われる。
【００４４】
インターフェース部１６は、メモリーカード４００が挿入されるスロットを有している。インターフェース部１６は、メモリーカード４００に記憶されているファイルを読み出し、読み出したファイルを制御部１１へ供給する。
【００４５】
画像処理部１５は、制御部１１から供給される動画像の各フレームの画像データを取得する。また、画像処理部１５は、プロジェクター１００を操作するためのＧＵＩ（Graphical User Interface）やプロジェクター１００の状態などを表示するオンスクリーン画像の画像データを制御部１１から取得する。画像処理部１５は、画質調整などの複数の画像処理機能を備えており、制御部１１から供給された動画像の各フレームの画像データに画像処理を施し、投写する画像の映像信号を投写部１４へ供給する。また、画像処理部１５は、制御部１１からオンスクリーン画像の画像データが供給された場合には、オンスクリーン画像を重畳した映像信号を投写部１４へ供給する。
【００４６】
画像を投写する投写部１４は、光源１４１、ライトバルブ１４２、投写光学系１４３、ライトバルブ制御部１４４及び駆動部１４５を備えている。光源１４１は、光を発するランプである。光源１４１が発した光は、図示省略した複数のダイクロイックミラーやミラーによって赤、緑、青の光に分光され、分光された赤、緑、青のそれぞれの光はライトバルブ１４２に導かれる。なお、光源１４１は、ランプではなく、発光ダイオード又はレーザー光を発する半導体レーザー装置であってもよい。
【００４７】
ライトバルブ制御部１４４は、画像処理部１５から供給される映像信号を取得する。ライトバルブ制御部１４４に供給される映像信号は、投写する画像における赤の成分の階調を表す階調データ、投写する画像における緑の成分の階調を表す階調データ及び投写する画像における青の成分の階調を表す階調データを有する。ライトバルブ制御部１４４は、赤、緑、青の各色の階調データを抽出し、抽出した各色の階調データに基づいてライトバルブ１４２を駆動する。
【００４８】
ライトバルブ１４２は、前述の赤の光が入射する液晶ライトバルブ、前述の緑の光が入射する液晶ライトバルブ、及び前述の青の光が入射する液晶ライトバルブを有している。液晶ライトバルブは、透過型の液晶パネルであり、複数行複数列でマトリクス状に配置された画素を備えている。赤の光が入射する液晶ライトバルブは赤の階調データに基づいて駆動され、緑の光が入射する液晶ライトバルブは緑の階調データに基づいて駆動され、青の光が入射する液晶ライトバルブは青の階調データに基づいて駆動される。各液晶ライトバルブは、ライトバルブ制御部１４４によって各画素が制御されて画素の透過率が変化する。画素の透過率が制御されることにより、液晶ライトバルブを透過した各色の光は、各階調データに対応した画像となる。液晶ライトバルブを透過した赤、緑、青の光による画像は、図示省略したダイクロイックプリズムにより合成されて投写光学系１４３に入射する。投写光学系１４３は、入射した画像を拡大又は縮小する光学系であり、入射した画像をレンズやミラーによって拡大又は縮小して投写する。
【００４９】
駆動部１４５は、モーター（図示略）やモーターの回転を投写光学系１４３のレンズの位置を移動させる駆動力に変換する変換機構（図示略）などを備えている。駆動部１４５がレンズの位置を移動させることにより、投写する画像の拡大や縮小、ピントの調整、投写位置の上下左右へのシフトなどが行われる。
【００５０】
図８は、プログラムを実行した制御部１１において実現する機能の構成を示した機能ブロック図である。
取得部１００１は、インターフェース部１６に挿入されたメモリーカード４００にアクセスし、メモリーカード４００から動画像ファイルを取得する。
抽出部１００２は、取得部１００１が取得した動画像ファイルからヘッダ部Ｆ２１とフレームデータ部Ｆ２２の組を抽出し、抽出したヘッダ部Ｆ２１から制御情報を抽出する。また、抽出部１００２は、フレームデータ部Ｆ２２から一フレーム分の画像データを抽出する。
情報処理部１００３は、抽出部１００２が抽出した制御情報を投写部１４が備える駆動部１４５へ供給することにより駆動部１４５を制御する、また、情報処理部１００３は、抽出部１００２が抽出した画像データを投写部１４が備えるライトバルブ制御部１４４へ供給することによりライトバルブ制御部１４４を制御する。
【００５１】
（実施形態の動作例）
図９は、制御部１１が動画像ファイルに基づいて各部を制御するときの処理の流れを示したフローチャートである。メモリーカード４００が挿入されているプロジェクター１００において、ユーザーが動画像ファイルの再生を指示する操作を行うと、制御部１１は、インターフェース部１６を制御し、メモリーカード４００から動画像ファイルを取得する（ステップＳＡ１）。制御部１１は、動画像ファイルを取得すると、取得した動画像ファイルから動画像の最初のフレームに係るヘッダ部Ｆ２１とフレームデータ部Ｆ２２の組を抽出する（ステップＳＡ２）。次に制御部１１は、抽出した組のヘッダ部Ｆ２１から制御情報を抽出する（ステップＳＡ３）。また、制御部１１は、抽出した組のフレームデータ部Ｆ２２から一フレーム分の画像データを抽出する（ステップＳＡ４）。
【００５２】
次に制御部１１は、抽出した制御情報を駆動部１４５へ供給し（ステップＳＡ５）、抽出した画像データを画像処理部１５へ供給する（ステップＳＡ６）。駆動部１４５は、制御情報が供給されると、供給された制御情報が表す値に応じて投写光学系１４３のレンズを移動させ、投写する画像のサイズを変更する。また、画像処理部１５は、画像データが供給されると、供給された画像データに対応した映像信号を生成し、生成した映像信号をライトバルブ制御部１４４へ供給する。ライトバルブ制御部１４４が、供給された映像信号に応じてライトバルブ１４２を制御すると、フレームデータ部Ｆ２２から抽出された画像データに対応した画像が投写される。
【００５３】
制御部１１は、ステップＳＡ６の処理が終了すると、取得した動画像ファイルから動画像の最後のフレームに係るヘッダ部Ｆ２１とフレームデータ部Ｆ２２の組を抽出済みであるか判断する（ステップＳＡ７）。制御部１１は、取得した動画像ファイルから動画像の最後のフレームに係るヘッダ部Ｆ２１とフレームデータ部Ｆ２２の組を抽出していない場合（ステップＳＡ７でＮＯ）、抽出していないヘッダ部Ｆ２１とフレームデータ部Ｆ２２の組のうち、再生時刻が最も早いフレームに係るヘッダ部Ｆ２１とフレームデータ部Ｆ２２の組を抽出し（ステップＳＡ８）、処理の流れをステップＳＡ３へ戻す。一方、制御部１１は、取得した動画像ファイルから動画像の最後のフレームに係るヘッダ部Ｆ２１とフレームデータ部Ｆ２２の組を抽出済みである場合（ステップＳＡ７でＹＥＳ）、動画像ファイルの再生を終了する。
【００５４】
例えば、動画像ファイルにおいて、「０：００」の再生時刻から「１：３０」の再生時刻までの期間について、画像のサイズを示す制御情報として「２５５」が設定され、「１：３１」の再生時刻から「２：３０」の再生時刻までの期間について、画像のサイズを示す制御情報として「０」が設定され、「２：３１」の再生時刻から「４：３０」の再生時刻までの期間について、画像のサイズを示す制御情報として「１２８」が設定された場合、プロジェクター１００は、「０：００」から「１：３０」の期間においては、図１０の（ａ）に示したように、投写し得る画像の最大のサイズ（点線で示した領域）より小さい最少サイズで動画像を投写する。また、プロジェクター１００は、「１：３１」から「２：３０」の期間においては、図１０の（ｂ）に示したように、投写し得る最大のサイズで動画像を投写し、「２：３１」から「４：３０」の期間においては、図１０の（ｃ）に示したように、投写し得る画像の最大のサイズと最少のサイズの中間のサイズで画像を投写する。
【００５５】
以上説明したように本実施形態によれば、動画像を投写しながら操作卓でプロジェクター１００を操作することなく、動画像のサイズをヘッダ部Ｆ２１に含められたタイミングで変更することができる。
【００５６】
［変形例］
以上、本発明の実施形態について説明したが、本発明は上述した実施形態に限定されることなく、他の様々な形態で実施可能である。例えば、上述の実施形態を以下のように変形して本発明を実施してもよい。なお、上述した各実施形態及び以下の変形例は、一つ又は複数を適宜組み合わせて実施してもよい。
【００５７】
上述した実施形態においては、制御情報には、画像のサイズを示す値が含まれる構成となっているが、この構成に限定されるものではない。
例えば、映像処理装置３００において、上下方向及び左右方向の投写位置を示す値を制御情報に含めるようにする。制御部１１は、この投写位置を示す値を制御情報部Ｆ２１２から抽出し、駆動部１４５へ供給する。駆動部１４５は、制御部１１から供給された値に応じて投写光学系１４３のレンズの位置を移動させ、投写位置の上下左右へのシフトを行う。この構成によれば、画像のサイズだけでなく、画像の投写位置も画像に合わせて変更することができる。
また、別の変形例としては、例えば、プロジェクター１００を水平方向及び鉛直方向へ電動で回転させる構成とする。この構成において、映像処理装置３００において、プロジェクター１００の水平方向への回転（パン）の角度及び鉛直方向への回転（チルト）の角度を、制御情報に含めるようにする。制御部１１は、これらの回転角度を示す値を制御情報部Ｆ２１２から抽出し、抽出した値に基づいて、プロジェクター１００の水平方向への回転の角度及び鉛直方向への回転の角度を制御する。この構成によれば、画像の投写位置を画像に合わせて変更することができる。
また、別の変形例としては、例えば、投写する画像の明るさやコントラスト、色合いなど、画質に係る設定値を、映像処理装置３００にて、制御情報に含めるようにする。制御部１１は、これらの設定値を制御情報部Ｆ２１２から抽出し、画像処理部１５へ供給し、画像処理部１５は、供給された設定値に応じて画質を調整する。この構成によれば、任意のタイミングで動画像の画質を変更させることができる。
【００５８】
上述した実施形態においては、データ部Ｆ２において、動画像の一のフレーム毎にヘッダ部Ｆ２１とフレームデータ部Ｆ２２とを組にしてデータ部Ｆ２に含めているが、制御情報を有する動画像ファイルのフォーマットは、上述の構成に限定されるものではない。
例えば、複数のヘッダ部Ｆ２１をまとめたブロックと、複数のフレームデータ部Ｆ２２をまとめたブロックとを生成し、ヘッダ部Ｆ２１のブロックと、フレームデータ部Ｆ２２のブロックとをデータ部Ｆ２に含めるようにしてもよい。この構成においては、プロジェクター１００は、ヘッダ部Ｆ２１のブロックから再生時刻と制御情報とを抽出し、抽出した再生時刻において、抽出した制御情報が示すサイズとなるように、投写する画像のサイズを制御する。
また、映像処理装置３００において、複数のヘッダ部Ｆ２１をまとめたファイルと、周知の動画像のファイルとを生成し、ヘッダ部Ｆ２１をまとめたファイルと動画像のファイルとをメモリーカード４００に書き込むようにしてもよい。この構成においては、プロジェクター１００は、ヘッダ部Ｆ２１をまとめたファイルから再生時刻と制御情報とを抽出し、抽出した再生時刻において、抽出した制御情報が示すサイズとなるように、投写する画像のサイズを制御する。
【００５９】
上述した実施形態においては、投写光学系を制御して画像のサイズを制御しているが、画像のサイズを制御する構成は、上述の構成に限定されるものではない。例えば、制御部１１が、制御情報に基づいて画像処理部１５を制御し、投写する画像を画像処理することにより投写する画像のサイズを変更するようにしてもよい。
【００６０】
本発明においては、プロジェクター１００は、照明装置として機能する構成であってもよい。具体的には、プロジェクター１００は、照明装置として機能する場合、照明用の画像を投写する。照明用の画像としては、画像全体が同じ色の画像を採用することができるが、照明用の画像は、この画像に限定されるものではなく、画像の中央部から周辺部に向かって階調が低くなる画像であってもよい。また、照明用の画像は、矩形の画像ではなく、円形の画像など、種々の形状であってもよい。また、投写光学系１４３に光拡散装置を設け、プロジェクター１００を照明装置として機能させる際には、ライトバルブ１４２から投写光学系１４３に入射した光を光拡散装置で拡散させて投写するようにしてもよい。この構成によれば、静止画像や動画像を投写するための光を拡散し、照明用の画像として使用することができる。なお、光拡散装置は、例えば、特開２０１４−２１４２９号公報に開示された光拡散装置を用いることができる。また、プロジェクター１００を照明装置として機能させる際には、駆動部１４５で投写光学系１４３を制御することにより投写する画像のフォーカスをずらし、焦点がずれた画像を照明用の画像として投写するようにしてもよい。
プロジェクター１００が、照明装置として機能する場合、照明装置の機能のオン又はオフを指示する指示情報を制御情報部Ｆ２１２に含める。プロジェクター１００は、基本情報部Ｆ２１１に含まれている再生時刻において、制御情報部Ｆ２１２にある指示情報に応じて照明装置の機能をオン又はオフにする。
【００６１】
上述した実施形態においては、制御部１１が動画像ファイルから一フレーム毎に制御情報を抽出し、抽出した制御情報を駆動部１４５へ供給する構成となっているが、この構成に限定されるものではない。例えば、１０フレーム毎や２０フレーム毎などのように、制御情報を抽出する間隔をプロジェクター１００において設定し、設定された間隔で制御情報を抽出し、抽出した制御情報を駆動部１４５へ供給する構成としてもよい。
【００６２】
上述した実施形態においては、ステップＳＡ５で制御情報を駆動部１４５へ供給し、ステップＳＡ６で画像データを画像処理部１５へ供給しているが、制御部１１が制御情報を供給してから投写光学系１４３が制御されるまでの時間と、制御部１１が画像データを供給してから当該画像データの画像が投写されるまでの時間には差があるため、制御情報に応じて駆動部１４５が投写光学系１４３の制御を行うタイミングと、画像データに応じた画像が投写されるタイミングとが合うように、制御部１１が制御情報を供給するタイミングと画像データを供給するタイミングを調整するようにしてもよい。
例えば、制御部１１が制御情報を供給してから制御情報に応じて投写光学系１４３が動作するまでの時間が、制御部１１が画像データを供給してから当該画像データに応じた画像が投写されるまでの時間より長い場合、制御部１１は、制御情報を先に供給した後、駆動部１４５が投写光学系１４３の制御を行うタイミングと、画像データに応じた画像が投写されるタイミングとが合うように、時間をおいて画像データをライトバルブ制御部１４４へ供給する。
また、制御部１１が制御情報を供給してから制御情報に応じて投写光学系１４３が動作するまでの時間が、制御部１１が画像データを供給してから当該画像データに応じた画像が投写されるまでの時間より短い場合、制御部１１は、画像データを先に供給した後、駆動部１４５が投写光学系１４３の制御を行うタイミングと、画像データに応じた画像が投写されるタイミングとが合うように、時間をおいて制御情報を駆動部１４５へ供給する。
【００６３】
本発明においては、複数のプロジェクター１００をダクトレール２００に取り付け、複数のプロジェクター１００で画像を投写するようにしてもよい。複数のプロジェクター１００で画像を投写する場合、各プロジェクター１００が互いに通信を行い、動画像の再生を開始するタイミングを同期させるようにしてもよい。
【００６４】
上述した実施形態においては、プロジェクター１００は、ダクトレール２００に取り付ける構成となっているが、据置型のプロジェクターであってもよい。
【００６５】
上述した実施形態においては、指定された期間について指定されたサイズで動画像を投写する構成となっているが、この構成に限定されるものではない。
例えば、映像処理装置３００において、再生時刻とサイズを入力する構成とする。映像処理装置３００は、複数の再生時刻で異なるサイズが設定された場合、サイズが指定された再生時刻の間の期間については、投写する動画像のサイズを、指定されたサイズに応じて変化させるようにしてもよい。
具体的には、映像処理装置３００は、例えば、「１：３０：００」の再生時刻に対してサイズを「０」と設定し、「１：３０：３０」の再生時刻に対してサイズを「１２５」と設定された場合、「１：３０：００」の再生時刻から「１：３０：３０」の再生時刻の間については、投写する画像のサイズを「０」から「１２５」の範囲で線形補間したサイズとし、線形補間で得られたサイズを、制御情報部Ｆ２１２へ格納する。
この構成によれば、「１：３０：００」の再生時刻においては、投写する画像のサイズが「０」となり、再生時刻が進むにつれて投写する動画像のサイズが変化し、「１：３０：３０」の再生時刻においては、動画像のサイズが「１２５」となる。
【００６６】
上述した実施形態においては、投写する画像のサイズがヘッダ部Ｆ２１に格納されている情報に応じて変更されるが、投写する画像のサイズは固定とし、動画像において切り出す領域の範囲を再生時刻に応じて指定する構成としてもよい。
図１１は、この変形例の動作を説明するための図である。映像処理装置３００においては、設定部３１４が表示するＧＵＩにおいて、再生時刻を入力するテキストボックスと、切り出す領域のサイズを入力するテキストボックスを設ける。ユーザーは、このＧＵＩにおいて、動画像内のオブジェクト（図１１の例では、星の模様）がすべて含まれるように切り出す領域のサイズを設定する。
映像処理装置３００は、例えば、動画像ファイルについて「１：１０」の再生時刻において切り出す領域のサイズとして「１８０」が設定された場合、「１：１０」の再生時刻に対応する制御情報部Ｆ２１２に対して、設定された切り出しサイズ「１８０」を格納する。切り出す領域のサイズとして「１８０」が設定された場合、プロジェクター１０において投写される領域は、図１１において破線で示した領域Ａ１１内となる。
また、映像処理装置３００は、動画像ファイルについて「１：２５」の再生時刻において切り出す領域のサイズとして「２００」が設定された場合、「１：２５」の再生時刻に対応する制御部情報部Ｆ２１２に対して、設定された切り出しサイズ「２００」を格納する。切り出す領域のサイズとして「２００」が設定された場合、プロジェクター１０において投写される領域は、図１１において破線で示した領域Ａ１２内となる。
また、映像処理装置３００は、動画像ファイルについて「１：４０」の再生時刻において切り出す領域のサイズとして「２２０」が設定された場合、「１：４０」の再生時刻に対応する制御部情報部Ｆ２１２に対して、設定された切り出しサイズ「２２０」を格納する。切り出す領域のサイズとして「２２０」が設定された場合、プロジェクター１０において投写される領域は、図１１において破線で示した領域Ａ１３内となる。
【００６７】
映像処理装置３００は、「１：１０」の再生時刻から「１：２５」の再生時刻の間については、切り出す領域のサイズを「１８０」から「２００」の範囲で線形補間したサイズとし、線形補間で得られたサイズを、制御情報部Ｆ２１２へ格納する。また、映像処理装置３００は、「１：２５」の再生時刻から「１：４０」の再生時刻の間については、切り出す領域のサイズを「２００」から「２２０」の範囲で線形補間したサイズとし、線形補間で得られたサイズを、制御情報部Ｆ２１２へ格納する。
【００６８】
プロジェクター１０は、動画像ファイルを再生する際、「１：１０」の再生時刻においては、制御情報部Ｆ２１２に格納されているサイズに応じて、領域Ａ１１内の画像を切り出し、図１１に示したＶ１１のように、切り出した画像を投写し得る最大のサイズに拡大した映像信号を生成し、この映像信号の画像が領域Ａ１１のサイズ（本来のサイズ、即ち、拡大する前のサイズ）で投写されるように、投写光学系１４３の拡大率を制御する。
また、プロジェクター１０は、動画像ファイルを再生する際、「１：２５」の再生時刻においては、制御情報部Ｆ２１２に格納されているサイズに応じて、領域Ａ１２内の画像を切り出し、図１１に示したＶ１２のように、切り出した画像を投写し得る最大のサイズに拡大した映像信号を生成し、この映像信号の画像が領域Ａ１２のサイズ（本来のサイズ）で投写されるように、投写光学系１４３の拡大率を制御する。
また、プロジェクター１０は、動画像ファイルを再生する際、「１：４０」の再生時刻においては、制御情報部Ｆ２１２に格納されているサイズに応じて、領域Ａ１３内の画像を切り出し、図１１に示したＶ１３のように、切り出した画像を投写し得る最大のサイズに拡大した映像信号を生成し、この映像信号の画像が領域Ａ１３のサイズ（本来のサイズ）で投写されるように、投写光学系１４３の拡大率を制御する。
この変形例によれば、投写される画像のサイズは、本来のサイズのままで固定であるが、切り出す領域が小さい場合には、投写する画像の拡大率が小さくなるため、投写する画像を明るくすることができる。
なお、映像処理装置３００は、切り出す領域のサイズを自動で設定する構成としてもよい。この構成の場合、自動で切り出しサイズを設定する際には、ユーザーが動画像の背景色を設定し、映像処理装置３００は、設定された背景色と異なる像を含む矩形領域をフレーム毎に抽出し、抽出した矩形領域のサイズを、切り出し領域として設定する。
【符号の説明】
【００６９】
１１…制御部、１２…記憶部、１３…操作部、１４…投写部、１５…画像処理部、１６…インターフェース部、１８…通信部、２１…電源回路、１００…プロジェクター、１０５…ケーブル、１１０…電源収容部、１１５…コネクター、１１６Ａ、１１６Ｂ…板状部、１１７Ａ、１１７Ｂ…導体、１１８…開口部、１２０…本体部、１２８…投写口、１３０…支持部材、１３１…連結部、１３１Ａ…支柱、１３１Ｂ…ボール、１３１Ｃ…フランジ、１４１…光源、１４２…ライトバルブ、１４３…投写光学系、１４４…ライトバルブ制御部、１４５…駆動部、２００…ダクトレール、２０１…開口、２０５Ａ、２０５Ｂ…導体、２０６Ａ、２０６Ｂ…溝、３００…映像処理装置、３１１…読み出し部、３１２…書込み部、３１３…生成部、３１４…設定部、４００…メモリーカード、１００１…取得部、１００２…抽出部、１００３…情報処理部
【図１】
2016139954.tif 000003
【図２】
2016139954.tif 000004
【図３】
2016139954.tif 000005
【図４】
2016139954.tif 000006
【図５】
2016139954.tif 000007
【図６】
2016139954.tif 000008
【図７】
2016139954.tif 000009
【図８】
2016139954.tif 000010
【図９】
2016139954.tif 000011
【図１０】
2016139954.tif 000012
【図１１】
2016139954.tif 000013